(57)【特許請求の範囲】
【請求項１】
アナウンスを通信網（ＫＮ）で提供する方法であって、
前記通信網は、ネットワーキングされた交換装置（ＭＳＣ／ＶＬＲ）と、アナウンスを制御する少なくとも１つのサービス制御ユニット（ＳＣＰ）と、少なくとも１つのサービス交換ユニット（ＳＳＰ，Ａ−ＳＳＰ）とを有し、
前記交換装置（ＭＳＣ／ＶＬＲ）には別の装置（ＢＳ）を介して加入者（Ａ）のアクセスを可能にする通信端末機（ＭＳ）が接続可能であり、および／または当該交換装置を介して少なくとも１つの別のネットワークへ接続することができ、
前記サービス交換ユニット（ＳＳＰ、Ａ−ＳＳＰ）は、発呼加入者（Ａ）に対するアナウンスを提供するためのアナウンスユニット（ＩＰ、Ａ−ＩＰ）とそれぞれ接続することができる、形式の方法において、
１つまたは複数のアナウンステキスト（ＡＮＴ）をサービス制御ユニット（ＳＣＰ）で作成し、
加入者（Ａ）の発呼に基づいて開始された第１の通信（ＩＤＰ）をサービス制御ユニット（ＳＣＰ）で受信し、評価し、
前記第１の通信（ＩＤＰ）には、アナウンスユニット（ＩＰ）によりアナウンスがサポートされているか否かについての情報（ＩＰＣＡ）が含まれており、
アナウンスがアナウンスユニット（ＩＰ、Ａ−ＩＰ）によりサポートされる場合には、アナウンステキスト（ＡＮＴ）の含まれた第２の通信（ＰＡＰ）をサービス制御ユニット（ＳＣＰ）から送信し、
該第２の通信はさらに、当該アナウンスの言語特性を識別するための付加的言語情報（ＬＣ）を含んでおり、
該付加的言語情報（ＬＣ）は、言語を識別するための少なくとも１つの言語コードを含んでおり、
受信されたアナウンステキストのアナウンスは当該言語においてアナウンスユニット（ＩＰ、Ａ−ＩＰ）により行われるものであり、
アナウンスユニット（ＩＰ、Ａ−ＩＰ）により、受信されたアナウンステキスト（ＡＮＴ）を言語特性に相応してアナウンス（ＡＮＮ）に変換し、該アナウンスを音声チャネル（ＳＰＣＨ）で発呼加入者（Ａ）に伝送する、
ことを特徴とする方法。
【請求項２】
アナウンスがサポートされているか否かについての情報（ＩＰＣＡ）を備えた第１の通信（ＩＤＰ）を、発呼加入者（Ａ）をサービスする第１のサービス交換ユニット（ＳＳＰ）により形成し、サービス制御ユニット（ＳＣＰ）に伝送する、請求項１記載の方法。
【請求項３】
アナウンスが第１のサービス交換ユニット（ＳＳＰ）に接続されたアナウンスユニット（ＩＰ）によってサポートされている場合、アナウンステキスト（ＡＮＴ）を含む第２の通信（ＰＡＰ）を第１のサービス交換ユニット（ＳＳＰ）を介してアナウンスユニット（ＩＰ）に供給する、請求項２記載の方法。
【請求項４】
アナウンスが第１のサービス交換ユニット（ＳＳＰ）に接続されたアナウンスユニット（ＩＰ）によってサポートされていない場合、サービス制御ユニット（ＳＣＰ）は第２のサービス交換ユニット（Ａ−ＳＳＰ）を選択し、
該第２のサービス交換ユニットを介してアナウンステキスト（ＡＮＴ）を含む第２の通信（ＰＡＰ）を接続されたアナウンスユニット（Ａ−ＩＰ）に送信する、請求項２記載の方法。
【請求項５】
アナウンステキスト（ＡＮＴ）を含む第２の通信（ＰＡＰ）をサービス制御ユニット（ＳＣＰ）から、アナウンスをサポートするのに適したアナウンスユニット（ＩＰ）に直接送信する、請求項２記載の方法。
【請求項６】
通信網（ＫＮ）は移動無線網として構成されている、請求項１から５までのいずれか１項記載の方法。
【請求項７】
サービス交換ユニット（ＳＳＰ）とサービス制御ユニット（ＳＣＰ）とは空間的に別個の通信網に所属する、請求項６記載の方法。
【請求項８】
ゲストネットワーク（ＶＰＬＭＮ）に滞在し、自分のホームネットワーク（ＨＰＬＭＮ）に存在していない移動加入者が発呼する際、アナウンスがサポートされているか否かについての情報（ＩＰＣＡ）を備えた通信（ＩＤＰ）を、ホームネットワーク（ＨＰＬＮＭ）にあるサービス制御ユニット（ＳＣＰ）に伝送し、かつアナウンステキスト（ＡＮＴ）を含む第２の通信（ＰＡＰ）を、ホームネットワークにあるサービス制御ユニット（ＳＳＰ）から移動加入者をサービスするゲストネットワークに（ＶＰＬＮＭ）あるサービス交換ユニット（ＳＳＰ’）にそれぞれネットワークを越えて伝送し、
ゲストネットワーク（ＶＰＬＭＮ）にて、受信されたアナウンステキスト（ＡＮＴ）からアナウンス（ＡＮＮ）をアナウンスユニット（ＩＰ’）によって形成し、発呼加入者（Ａ）に音声チャネル（ＳＰＣＨ）で出力する、請求項６または７記載の方法。
【請求項９】
通信網（ＫＮ）で提供すべきアナウンスを制御するためのサービス制御ユニット（ＳＣＰ）であって、
前記通信網（ＫＮ）は、ネットワーキングされた交換装置（ＭＳＣ／ＶＬＲ）と、少なくとも１つのサービス交換ユニット（ＳＳＰ，Ａ−ＳＳＰ）とを有し、
前記交換装置には別の装置（ＢＳ）を介して、加入者（Ａ）へのアクセスを可能にする通信端末機（ＭＳ）が接続可能であり、および／または当該交換装置を介して少なくとも１つのネットワークへ接続することができ、
前記サービス交換ユニットは、発呼加入者（Ａ）に対するアナウンスを提供するためのアナウンスユニット（ＩＰ、Ａ−ＩＰ）とそれぞれ接続することができ、
前記サービス制御ユニット（ＳＣＰ）は、
１つまたは複数のアナウンステキスト（ＡＮＴ）を記憶するための手段を有し、
さらに、加入者（Ａ）の発呼に基づいて開始された第１の通信（ＩＤＰ）を記憶および評価するための手段を有し、該第１の通信にはアナウンスがアナウンスユニット（ＩＰ）によりサポートされているか否かについての情報（ＩＰＣＡ）が含まれており、
さらに、アナウンステキスト（ＡＮＴ）を含んだ第２の通信（ＰＡＰ）を、アナウンスをサポートするアナウンスユニット（ＩＰ，Ａ−ＩＰ）に送信するための手段を有し、
該第２の通信はさらに、当該アナウンスの言語特性を識別するための付加的言語情報（ＬＣ）を含んでおり、
該付加的言語情報（ＬＣ）は、言語を識別するための少なくとも１つの言語コードを含んでおり、
受信されたアナウンステキストのアナウンスは当該言語においてアナウンスユニット（ＩＰ、Ａ−ＩＰ）により行われるものであり、
該アナウンスユニットにより、受信されたアナウンステキスト（ＡＮＴ）はアナウンス（ＡＮＮ）に変換され、該アナウンスは音声チャネル（ＳＰＣＨ）で発呼加入者（Ａ）に出力される、
ことを特徴とするサービス制御ユニット。
【請求項１０】
通信網（ＫＮ）で提供すべきアナウンスを交換するためのサービス交換ユニット（ＳＳＰ、Ａ−ＳＳＰ）であって、
前記通信網（ＫＮ）は、ネットワーキングされた交換装置（ＭＳＣ／ＶＬＲ）と、アナウンスを制御する少なくとも１つのサービス制御ユニット（ＳＣＰ）と、サービス交換ユニット（ＳＳＰ，Ａ−ＳＳＰ）に接続された少なくとも１つのアナウンスユニット（ＩＰ、Ａ−ＩＰ）とを有し、
前記交換装置には別の装置（ＢＳ）を介して、加入者（Ａ）へのアクセスを可能にする通信端末機（ＭＳ）が接続可能であり、および／または当該交換装置を介して少なくとも１つのネットワークへ接続することができ、
前記サービス制御ユニット（ＳＣＰ）ではアナウンステキスト（ＡＮＴ）が作成され、
前記アナウンスユニット（ＩＰ，Ａ−ＩＰ）は発呼加入者（Ａ）に対するアナウンスを提供するためのものであり、
前記サービス交換ユニット（ＳＳＰ）は、アナウンステキスト（ＡＮＴ）の含まれた第２の通信（ＰＡＰ）を受信するための手段を有し、
該第２の通信はさらに、当該アナウンスの言語特性を識別するための付加的言語情報（ＬＣ）を含んでおり、
該付加的言語情報（ＬＣ）は、言語を識別するための少なくとも１つの言語コードを含んでおり、
受信されたアナウンステキストのアナウンスは当該言語においてアナウンスユニット（ＩＰ、Ａ−ＩＰ）により行われるものであり、
さらにアナウンステキスト（ＡＮＴ）を、アナウンスをサポートするアナウンスユニット（ＩＰ，Ａ−ＩＰ）に送信するための手段を有し、
前記アナウンスユニットにより、受信されたアナウンステキスト（ＡＮＴ）がアナウンス（ＡＮＮ）に変換され、該アナウンスは音声チャネル（ＳＰＣＨ）で発呼加入者（Ａ）に出力される、
ことを特徴とするサービス交換ユニット。
【請求項１１】
通信網（ＫＮ）でアナウンスを提供するためのアナウンスユニット（ＩＰ，Ａ−ＩＰ）であって、
前記通信網は、ネットワーキングされた交換装置（ＭＳＣ／ＶＬＲ）と、アナウンスを制御する少なくとも１つのサービス制御ユニット（ＳＣＰ）と、少なくとも１つのサービス交換ユニット（ＳＳＰ，Ａ−ＳＳＰ）とを有し、
前記交換装置には別の装置（ＢＳ）を介して、加入者（Ａ）へのアクセスを可能にする通信端末機（ＭＳ）が接続可能であり、および／または該交換装置を介して少なくとも１つの別のネットワークへ接続可能であり、
前記サービス制御ユニット（ＳＣＰ）ではアナウンステキスト（ＡＮＴ）が作成され、
前記サービス交換ユニットは、発呼加入者（Ａ）に対するアナウンスを提供するためのアナウンスユニット（ＩＰ、Ａ−ＩＰ）とそれぞれ接続可能であり、
前記アナウンスユニット（ＩＰ，Ａ−ＩＰ）は、アナウンステキスト（ＡＮＴ）の含まれた第２の通信（ＰＡＰ）を受信するための手段と、アナウンステキスト（ＡＮＴ）をアナウンス（ＡＮＮ）に変換するための手段（ＴＳＣ）を有し、
前記第２の通信はさらに、当該アナウンスの言語特性を識別するための付加的言語情報（ＬＣ）を含んでおり、
該付加的言語情報（ＬＣ）は、言語を識別するための少なくとも１つの言語コードを含んでおり、
受信されたアナウンステキストのアナウンスは当該言語においてアナウンスユニット（ＩＰ、Ａ−ＩＰ）により行われるものであり、
前記アナウンスは音声チャネル（ＳＰＣＨ）で発呼加入者（Ａ）に出力される、
ことを特徴とするアナウンスユニット。
【請求項１２】
アナウンスを提供するための通信網であって、
該通信網は、ネットワーキングされた交換装置（ＭＳＣ／ＶＬＲ）と、アナウンスを制御する少なくとも１つのサービス制御ユニット（ＳＣＰ）と、少なくとも１つのサービス交換ユニット（ＳＳＰ，Ａ−ＳＳＰ）とを有し、
前記交換装置には別の装置（ＢＳ）を介して、加入者（Ａ）のアクセスを可能にする通信端末機（ＭＳ）が接続可能であり、および／または該交換装置を介して少なくとも１つの別のネットワークへ接続が可能であり、
前記サービス制御ユニット（ＳＣＰ）ではアナウンステキスト（ＡＮＴ）が作成され、
前記サービス交換ユニットは、発呼加入者（Ａ）に対するアナウンスを提供するためのアナウンスユニット（ＩＰ、Ａ−ＩＰ）とそれぞれ接続可能であり、
１つまたは複数のアナウンステキスト（ＡＮＴ）がサービス制御ユニット（ＳＣＰ）で作成され、
加入者（Ａ）の発呼に基づいて開始された第１の通信（ＩＤＰ）がサービス制御ユニット（ＳＣＰ）により受信され評価され、
前記第１の通信（ＩＤＰ）には、アナウンスがアナウンスユニット（ＩＰ）によりサポートされているか否かについての情報（ＩＰＣＡ）が含まれており、
アナウンスがアナウンスユニット（ＩＰ、Ａ−ＩＰ）によりサポートされる場合には、アナウンステキスト（ＡＮＴ）の含まれた第２の通信（ＰＡＰ）がサービス制御ユニット（ＳＣＰ）から送信され、
該第２の通信はさらに、当該アナウンスの言語特性を識別するための付加的言語情報（ＬＣ）を含んでおり、
該付加的言語情報（ＬＣ）は、言語を識別するための少なくとも１つの言語コードを含んでおり、
受信されたアナウンステキストのアナウンスは当該言語においてアナウンスユニット（ＩＰ、Ａ−ＩＰ）により行われるものであり、
アナウンスユニット（ＩＰ、Ａ−ＩＰ）により、受信されたアナウンステキスト（ＡＮＴ）がアナウンス（ＡＮＮ）に変換され、該アナウンスが音声チャネル（ＳＰＣＨ）で発呼加入者（Ａ）に出力される、
ことを特徴とする通信網。
【発明の詳細な説明】
【０００１】
通信網、例えば固定網、または例えば公知のＧＳＭ移動無線網（移動通信用のグローバルシステム）の形式に構築された移動無線網は、相互にネットワーキングされた交換装置を有する。移動無線網では交換装置にそれぞれ基地局が接続されており、この基地局によって無線区間を介し通信端末機を接続することができる。固定網では通信端末機が線路を介して交換装置と接続されている。従って通信端末機によって、加入者はネットアクセスのネットワーク形式に依存しなくなる。さらに交換装置は、別のネットワーク、例えばデータ送信網、固定網または移動無線網への移行を行う。ＧＳＭ移動無線網ではメモリユニットが使用され、このメモリユニットには加入者固有のデータがネット指示サービスのために記憶されている。この種のメモリユニットはホームレジスタであり、これは通常固定的に定まった箇所にあり、ここには加入者登録の基本データがファイルされている。移動加入者の瞬時の滞在位置に依存して、少なくとも１つの別のメモリユニット、すなわち訪問者レジスタが管轄する。移動加入者の滞在位置に応じて、当該加入者に対して記憶された固有のデータを備えた、どのメモリユニットが加入者をサービスするかは変更できる。
【０００２】
通信網（固定網または移動無線網）の加入者に対する付加的なサービスを、サービス制御ユニット（サービスコントロールポイント）を備えたインテリジェント型通信網の構造によってサポートすることは一般的に公知である。従ってこのサービス制御ユニットと、これにファイルされた付加的サービスのプロファイルとは、これに登録された必要な情報も含めて、それぞれの通信網に依存しないで可変である。インテリジェント型通信網で使用可能なサービスはサービス交換ユニット（サービススイッチングポイント）で開始される。これは、通常の呼び出し処理から退去し、付加的サービスへのアクセスをアクティブにするためである。サービスの１つは、通信網の加入者に１つまたは複数のアナウンスを提示することである。このことは次のようにして達成される。すなわち、このアナウンスがサービス交換ユニットにより開始され、これと接続されたアナウンスユニット（インテリジェント型端末）により実行されるようにして行われる。アナウンスの制御はサービス制御ユニットによりＩＮＡＰシグナリング（インテリジェントネットワークアプリカント部分）を介して行われる。この方法の欠点は、アナウンスユニットにあるすべてのアナウンスを前もって定義しなければならないことである。すなわち前もってアナウンスを記録し、アナウンスユニットにロードしておかなければならない。この手段には、新たなアナウンスの提供および格納の点で柔軟性がない。なぜならこれらを使用する前に、“オフライン”で記録しなければならず、アナウンスユニットに記憶しなければならないからである。さらにアナウンスを、例えばアナウンス呼出番号を用いて、それぞれのアナウンスの選択のために識別し、シグナリングしなければならない。サービス制御ユニットとサービス交換ユニットとの間では相応のアナウンス識別が、新たなアナウンスを使用できるように同調されていなければならない。
【０００３】
“The CAMEL feature, proposed revisions to the stage 1 description”,ETSI/STC/SMG1. 14.03.95,GSM 02.78, Version 0.4.9,1-14pp.から、ＣＡＭＥＬプラットフォーム（Customized Application for Mobil network Enhanced Logic）が公知であり、これにより付加的なプロバイダー固有のサービスが加入者に対して可能となる。これは例えば加入者が外国に滞在していても可能である。これにより通信網のネットワーク境界およびサービス境界を越えて、プロバイダー固有の付加的サービスを使用することができる。これは、付加的サービスを開始するサービス交換ユニットが開始されたサービスに対して所要のＣＡＰシグナリング（ＣＡＭＥＬアプリカント部分）を処理でき、ネットワーク境界を越えてシグナリング情報をホームレジスタからおよびホームレジスタへ、および付加的サービスのサービス制御ユニットへ交換できる場合である。アナウンスに対してこのことは、移動加入者がホームネットワークとして別のネットワークに滞在しているとき、他のすべてのネットワークのアナウンスがそこで既知であり、一義的に識別可能でなければならないことを意味する。このことにより高い同調コストが必要であり、これはさらにネットワーク境界を越えて成功しなければならず、同様に柔軟性に欠ける。加入者が滞在しているネットワークから自分のホームネットワークへの“再ルーティング”についての解決手段は、アナウンスをそこに提示するためのものであるが、線路を付加的に占有することとなり、従って付加的な伝送資源が必要となる。
【０００４】
本発明の課題は、加入者に対してアナウンスを提供するために、できるだけフレキシブルな方法および相応する通信網を提供することである。この課題は本発明により、請求項１に記載の方法により、また請求項１２記載の構成の通信網により解決される。さらに請求項９記載の構成を備えたサービス制御ユニット、請求項１０の構成を備えたサービス交換ユニット、および請求項１１の構成を備えたアナウンスユニットが提案される。本発明の有利な改善形態は従属請求項に記載されている。
【０００５】
本発明の、アナウンスを提供するための方法では、１つまたは複数のアナウンステキストがサービス制御ユニットで提供される。加入者の呼び出しに基づいて開始された第１の通信はサービス制御ユニットにより受信され評価される。この第１の通信には、アナウンスユニットによりアナウンスがサポートされているか否かについての情報が含まれている。アナウンスをアナウンスユニットによりサポートする場合には、アナウンステキストの含まれた第２の通信がサービス制御ユニットから送信される。この第２の通信にはアナウンスの言語特性を識別するための付加的言語情報（ＬＣ）が含まれており、この付加的言語情報は言語を識別するための少なくとも１つの言語コードを含んでいる。そしてアナウンスユニットにより、受信されたアナウンステキストがアナウンスに変換され、このアナウンスは音声チャネルで発呼加入者に出力される。
【０００６】
本発明の方法の利点は、単にアナウンステキストがサービス制御ユニット（通常は中央局に配置されている）に供給され、アナウンスが受信されたアナウンステキストのアナウンスユニットによる変換によって初めて作成されることである。アナウンステキストを中央で記憶することにより、アナウンスをサービス制御ユニットとサービス交換ユニットないしはアナウンスユニットとの間で相応のシグナリングを介してわざわざ調整する必要性が回避され、アナウンスを新たなサービスおよびサービス拡張に迅速かつフレキシブルに適合することができる。フレキシビリティが高められたことによりコストが節約される。なぜならアナウンスユニットに、アナウンスの各変更または追加の際に新たにロードする必要がもはやないからである。アナウンスの提供は位置に依存しないでも行われ、アナウンスを前もってそれぞれのアナウンスユニットで前もって定義する必要はない。これにより新たなアナウンスを導入するためのコストが格段に低減される。ＣＡＭＥＬプラットフォームにより、“移動中の”加入者に対してネットワーク境界を越えてアナウンスを提供することを、本発明の手段により格段に簡単に実行することができ、シグナリングおよび線路占有コストが低下する。アナウンスは加入者に、自分の固有のネットワークでも、例えば外国にいる場合にはよそのネットワークでも、受信されたアナウンステキストの簡単な変換によってその場で使用に供される。このことは加入者にとって、アナウンスが自分の理解できる言語で、有利には母国語で再生されるという利点がある。
【０００７】
本発明の方法は、発呼加入者にアナウンスが、サービス制御ユニットにより制御され、アナウンスユニットによりサポートされ、音声チャネルを介して再生されるような固定網、移動無線網に適用することができる。本発明の方法の別の利点は、アナウンスのサポート性についての情報およびアナウンステキストを通信で伝送できることであり、この通信はＩＮＡＰないしはＣＡＰシグナリングの一部とすることができる。このことは、本発明の方法に対して付加的線路またはシグナリング通信のコストが必要ないことを意味する。
【０００８】
本発明の通信網は、１つまたは複数のアナウンステキストがサービス制御ユニットで作成されることを特徴とする。加入者の呼び出しに基づいて開始された通信に、アナウンスユニットによるアナウンスのサポート性についての情報が含まれており、この通信がサービス制御ユニットにより受信され、評価される。アナウンスユニットによりアナウンスをサポートする際には、アナウンステキストの含まれた通信がサービス制御ユニットから送信される。アナウンスユニットにより受信されたアナウンステキストはアナウンスに変換され、このアナウンスが音声チャネルで発呼加入者に出力される。
【０００９】
本発明をサポートするためのサービス制御ユニットは、１つまたは複数のアナウンステキストを記憶するための手段、並びに加入者の呼び出しに基づいて開始された通信を記憶および評価するための手段を有する。前記の開始された通信にアナウンスユニットによるアナウンスのサポート性についての情報が含まれている。さらにサービス交換ユニットには、アナウンステキストの含まれた通信を、アナウンスをサポートするアナウンスユニットに送信するための手段が設けられている。このアナウンスユニットにより、受信されたアナウンステキストはアナウンスに変換され、これがサーブス交換ユニットを介して音声チャネルで発呼加入者に伝送される。
【００１０】
本発明をサポートするためのサービス交換ユニットは、アナウンステキストの含まれた通信を受信するための手段、およびアナウンステキストを、アナウンスをサポートするアナウンスユニットに送信するための手段を有する。このアナウンスユニットにより、受信されたアナウンステキストはアナウンスに変換され、これがサービス交換ユニットを介して音声チャネルで発呼加入者に伝送される。
【００１１】
本発明をサポートするためのアナウンスユニットは、アナウンステキストの含まれた通信を受信するための手段、およびアナウンステキストをアナウンスに変換するための手段を有し、このアナウンスがサービス交換ユニットを介して音声チャネルで発呼加入者に伝送される。
【００１２】
図面に基づき本発明を詳細に説明する。
【００１３】
図１は、通信網のブロック回路図、
図２は、サービス制御ユニットおよびサービス交換ユニットによるアナウンス提供のための通信流を概略的に示した図、
図３は、サービス制御ユニットと２つのサービス高加入ニットによるアナウンス提供のための通信流を概略的に示した図、
図４は、自分のホームネットに滞在していない移動加入者に対するアナウンス提供のためのネット越境通信流を概略的に示した図である。
【００１４】
図１による移動無線網による実施例で本発明の通信網と本発明の方法を説明する。この実施例では、移動無線網はＧＳＭ規格により駆動される。本発明は移動無線網に限定されるものではなく、同じよう固定網にも適用できる。通信網は通常、複数の交換装置ＭＳＣ／ＶＬＲを有する。この交換装置は相互に接続されている。交換装置は、移動加入者への接続を、基地局ＢＳ、基地局ＢＳと移動局ＭＳとの間の無線区間を介して形成する。基地局ＢＳは交換装置ＶＬＲ／ＭＳＣと線路接続されている。移動局ＭＳは移動加入者Ａの通信端末機であり、この加入者は以下の例では、目標加入者へのコールを開始する（ＭＯＣ，移動発信呼）。図示しない別の交換装置は別の通信網、例えば固定網へのネット移行を形成する。
【００１５】
さらに通信網ＫＮは、サービス制御ユニットＳＣＰ（ＣＡＭＥＬフェーズ１に従い、ＣＳＥ−ＣＡＭＥＬサービス環境とも称される。図４参照）と、サービス交換ユニットＳＳＰ，Ａ−ＳＳＰを、インテリジェント型通信網のネットワーク構造をサポートするために有する。基地局ＢＳに接続された交換装置ＭＳＣ／ＶＬＲはサブシステムとして、サービス交換ユニットＳＳＰを有し、一方別の交換装置ＭＳＣ／ＶＬＲにはサービス交換ユニットＡ−ＳＳＰが配属されている。この接続では、各サービス制御ユニットＳＣＰが各交換装置ＭＳＣ／ＶＬＲまたはサービス交換ユニットＳＳＰ，Ａ−ＳＳＰと直接接続する必要はない。これらに通信網ＫＮまたは他のネットワークを介してNr.7シグナリングにより到達できれば十分である。この実施例では、サービス制御ユニットＳＣＰは通信網ＫＮにあり、サービス交換ユニットＳＳＰおよびＡ−ＳＳＰとＩＮＡＰシグナリングを介して直接接続されている。一方、別のサービス制御ユニットＳＣＰは国境を越えるＧＳＭ移動無線網のゲストネットワークＶＰＬＭＮに配置されており、サービス交換ユニットＳＳＰによってのみＣＡＰシグナリングを介して直接接続される。
【００１６】
図１によれば、アナウンスユニットＩＰ，Ａ−ＩＰが、種々のアナウンスを通信網の加入者に提示するためにサービス交換ユニットＳＳＰ、Ａ−ＳＳＰに接続されている。アナウンスユニットはサービス制御ユニットＳＣＰにより直接、またはそれぞれのサービス交換ユニットＳＳＰ、Ａ−ＳＳＰを介してＩＮＡＰシグナリングにより制御される。少なくとも１つのメモリユニットＨＬＲが通信網ＫＮに移動加入者Ａのホームレジスタとして配置されており、ここでは例として示した２つの交換装置ＭＳＣ／ＶＬＲと接続されている。ここで交換装置ＭＳＣ／ＶＬＲにはそれぞれ１つのゲストレジスタＶＬＲが配属されている。このレジスタに、移動加入者はこの交換装置の管轄域に滞在する間、登録される。ホームレジスタと交換装置ＭＳＣ／ＶＬＲとの通信交換はＭＡＰシグナリング（移動アプリカント部分）を介して行われる。
【００１７】
移動加入者Ａから発した接続形成通報は、移動加入者Ａが存在する管轄域の交換装置ＶＬＲ／ＭＳＣでまず処理される。そこでサービス、とりわけ付加的サービスおよびプロバイダー固有の付加的サービスについての問い合わせが行われる。メモリユニットＨＬＲ、ＶＬＲは、加入者Ａに対して使用可能な付加的サービスについての情報を含んでいる。ここで付加的サービスについての情報は、“位置更新”によりゲストレジスタＶＬＲに達する。この付加的情報は、加入者の加入者データにより、例えばテーブル形態で加入者に配属される。この実施例に対しては、発呼移動加入者Ａに対するアナウンスを提供するというサービスがある。フレキシブルで位置に依存する制御およびアナウンスの要求について別の図面に基づき説明する。
【００１８】
図２から図４は、本発明の方法のフローに対する基本を示す。図２では、位置更新ＬＵＰの間に加入者データがホームレジスタＨＬＲから、ＭＡＰプロトコルを使用してゲストレジスタＶＬＲにサービス交換ユニットＳＳＰで伝送される。加入者Ａが発呼通話に対する付加的サービスに登録されていれば、付加的にサービス関連加入者情報が伝送され、ゲストレジスタＶＬＲに記憶される。加入者Ａにより発呼通話が開始される際に、サービス交換ユニットＳＳＰによりサービス関連の評価が行われる。
【００１９】
この実施例では、加入者Ａの発呼が取り扱われる。この発呼では、接続通報が加入者Ａを管轄する交換装置を介してサービス交換ユニットＳＳＰに達する（１）。サービス交換ユニットＳＳＰは、通報を評価し、開始された通信ＩＤＰ（初期検知点Initial Detection Point）を、ＩＮＡＰプロトコルを介してサービス制御ユニットＳＣＰに送信する（２）装置を有する。通信ＩＤＰには情報ＩＰＣＡ（インテリジェント型端末権限）が含まれている。この情報は、アナウンス、例えば音声、音声容量等についてのどの特性が、サービス交換ユニットＳＳＰと接続されたアナウンスユニットＩＰに存在するかを指示する。サービス制御ユニットＳＣＰで受信された、アナウンスのサポート性についての情報ＩＰＣＡは装置ＳＥによって評価される。このことは例えばテーブル形態にファイルされた要求との比較に基づいて行うことができる。サービス交換ユニットＳＣＰないしはアナウンスユニットＩＰによるサポートが十分な場合には、サービス交換ユニットＳＣＰは通信ＣＴＲ（Connect To Resource）を返信し、この通信によりアナウンスユニットＩＰの制御への同意がサービス交換ユニットＳＳＰにシグナリングされる。通信ＣＴＲをサービス交換ユニットＳＳＰで受信することにより、アナウンスユニットＩＰが直接的に接続される。これは図２に、アナウンスユニットＩＰへの通信ＣＴＲの送信（３）によって象徴的に示されている。
【００２０】
サービス制御ユニットＳＣＰはまた、アナウンステキストＡＮＴを記憶するための装置ＳＰを有する。アナウンステキストは例えばＡＳＣＩＩテキストの形態で作成される。ここでアナウンステキストＡＮＴには別の情報ＬＣをアナウンスの言語特性を表すために記憶することができる。従ってこの情報ＬＣは言語を識別するための１つまたは複数の国別コードを含み、この言語により受信されたアナウンステキストＡＮＴのアナウンスをアナウンスユニットにより行われなければならない。アナウンステキストＡＮＴと上に述べた情報は、例えば上位の制御および管理システム（Service Management PintまたはOperation and Maintenance Center）により、サービス制御ユニットＳＣＰでのシグナリングを用いて中央局で作成される。装置ＳＥにより装置ＳＰと関連してアナウンステキストＡＮＴが選択されると直ちに、このアナウンステキストは有利には情報ＬＣと共に通信ＰＡＰ（Play AnnouncementまたはPrompt and Collect）で送信され、サービス交換ユニットＳＳＰにより受信され、そこからアナウンスユニットＩＰへさらに供給される（４）。これとは択一的に、通信ＰＡＰを書き込まれた情報と共に直接、サービス制御ユニットＳＣＰとアナウンスユニットＩＰとの間で交換することもできる。
【００２１】
アナウンスユニットＩＰは、受信されたアナウンステキストＡＮＴをアナウンスＡＮＮに変換するための装置ＴＳＣを有する。このことは例えば、テキスト／音声変換器により行うことができ、この変換器は場合によっては付加的に受信された情報ＬＣを考慮してテキストを音声に変換することができる。このようにして形成されたアナウンスＡＮＮは、サービス交換ユニットＳＳＰに接続されたアナウンスユニットＩＰにより、交換装置で接続された音声チャネルＳＰＣＨを介し加入者Ａへ伝送される（５）。
【００２２】
図３は、図２に対して僅かに変形した構成を示す。ここでは別のサービス交換ユニットＡ−ＳＳＰ（Assisting Service Switching Point）が追加されている。ステップ（１）および（２）による通信伝送は図２と同じである。上の説明とは異なり、サービス制御ユニットＳＣＰの装置ＳＥでの情報ＩＰＣＡの検査により、サービス交換ユニットに制御されたアナウンスユニットによる十分なサポートが存在しなかった。従ってサービス制御ユニットＳＣＰは通信ＥＴＣ（Establish Temporary Connection）を送信し、この通信によりアナウンスのサポートに適したサービス交換ユニットによる一時的なシグナリング接続および音声接続を要求する。この別のサービス交換ユニットは図示の実施例では、サービス交換ユニットＡ−ＳＳＰであり、これは通信ＥＴＣに含まれるルーティングアドレスＲＡＤにより元のサービス交換ユニットＳＳＰに通知される（２ａ）。さらにサービス交換ユニットＡ−ＳＳＰは加入者への音声チャネル接続へもループされる。選択されたサービス交換ユニットＡ−ＳＳＰは通信ＡＲＩ（Assisted Request Instruction）をサービス制御ユニットＳＣＰへ送信し、この制御ユニットＳＣＰにアナウンスの提供に対する通信パートナーを知らせる（２ｂ）。
【００２３】
これに基づいてサービス制御ユニットＳＣＰは、図２のステップに相応して、通信ＣＴＲとＰＡＰを順次、現在権限のあるサービス交換ユニットＡ−ＳＳＰに送信する。この通信にはアナウンステキストＡＮＴと情報ＬＣが含まれている。このサービス交換ユニットＡ−ＳＳＰは受信された通信ＣＴＲとＰＡＰをそれぞれ所属のアナウンスユニットＡ−ＩＰにさらに供給する（３，４）。受信されたアナウンステキストＡＮＴの音声への変換は装置ＴＳＣにより行われる。このようにして求められたアナウンスＡＮＮはアナウンスユニットＡ−ＩＰから音声チャネルＳＰＣＨを介して加入者Ａへ出力される（５）。
【００２４】
図４は、加入者Ａが自分のホームネットワークＨＰＬＭＮに存在せず、よそのネットワーク、すなわちゲストネットワークＶＰＬＭＮに滞在している場合を示す。ＣＡＭＥＬプラットフォームによれば、２つのネットワークＨＰＬＭＮ，ＶＰＬＭＮの境界を越えた通信がサービス要求のために可能である。音声接続形成が再び移動加入者Ａから自分の通信端末機を介して発呼される。接続形成通報は、この加入者に対して目下権限のある、よそのネットワークＶＰＬＭＮの交換装置ＭＳＣに達する。このよそのネットワークの管轄域に加入者の移動局が存在している。交換装置ＭＳＣに配属されたサービス交換ユニットＳＳＰ’は通信ＩＤＰを情報ＩＰＣＡと共に送信する。この通信はネットワークを越えてＣＡＰシグナリングにより、装置ＳＥとＳＰを備えたサービス制御ユニットＳＣＰへ伝送される。図２と同じようにして引き続き、アナウンステキストＡＮＴと情報ＬＣを備えた通信ＣＴＲ、ＰＡＰが形成され、サービス制御ユニットＳＣＰ、サービス交換ユニットＳＳＰ’と所属のアナウンスユニットＩＰ’との間で交換される。図２の構成に付加的に通信流を２つのネットワークＨＰＬＭＮとＶＰＬＭＮとのネット境界を越えて行うことができる。アナウンスユニットＩＰ’でテキスト／音声変換を行うための装置ＴＳＣ’はアナウンスＡＮＮを送出する。このアナウンスはサービス交換ユニットを介して、交換装置ＭＳＣにて接続された、ゲストネットワークＶＰＬＭＮの音声チャネルＳＰＣＨで加入者に再生される。このようにしてよそのネットワークを“移動中の”加入者に自分の母国語でアナウンスを、または少なくとも理解できる言語でフレキシブルに、付加的なシグナリング負荷または線路占有なしで提供することができる。
【図１】
0003728323.tif 000002
【図２】
0003728323.tif 000003
【図３】
0003728323.tif 000004
【図４】
0003728323.tif 000005